(57)【要約】【課題】  スライドさせて開閉する蓋を有する収納ケースにおいて、部品点数の削減によるコストダウンとケース自体の小型化とを同時に実現可能な収納ケース及び電子機器を提供する。【解決手段】  捩じりバネ３２は、回動軸３０に貫通されている。捩じりバネ３２の第１の腕部３２−１は、ケース蓋２８の内側の面２８ａに沿って配置されており、ケース蓋２８の内側の面２８ａに形成された凸部４２に巻き付けられて固定されている。捩じりバネ３２の第２の腕部３２−２は、ケース本体２６の開口面２６ａに形成された貫通孔４４を通って、開口面２６ａの裏側に貫通している。貫通孔４４は、ケース蓋２８のスライド方向に沿う長穴状に形成されている。捩じりバネ３２の第２の腕部３２−２の端部は、貫通孔４４が伸びる方向に対して略垂直に屈曲しており、ケース本体２６の裏面凹部４６に当接している。【選択図】      図４
2009110903.tif 000002
【特許請求の範囲】
【請求項１】
収納物を収納するための収納部と、前記収納物を前記収納部に出し入れするための開口部とを備えたケース本体と、
所定の回動軸の周りに回動自在に取り付けられており、前記ケース本体に対してスライド自在に取り付けられた蓋と、
コイル巻部と、前記コイル巻部の両端から延出した第１及び第２の腕部とを備え、前記蓋とともにスライド自在に取り付けられた捩じりばねであって、前記第１の腕部が前記蓋の内側の面に当接する一方、前記第２の腕部が前記開口部の外縁部に設けられた貫通孔を通って前記外縁部の裏面に当接し、前記蓋を開く方向に付勢する捩じりバネと、
前記蓋が第１の位置にスライドされた場合に前記蓋を固定し、前記蓋が第２の位置にスライドされた場合に前記蓋の固定を解除する固定手段と、
を備えることを特徴とする収納ケース。
【請求項２】
前記貫通孔は、前記蓋がスライドするスライド方向に略平行に伸びる長穴形状であることを特徴とする請求項１記載の収納ケース。
【請求項３】
前記第２の腕部の端部は、前記貫通孔の長手方向に対して略垂直に折り曲げられていることを特徴とする請求項２記載の収納ケース。
【請求項４】
請求項１から３のいずれか１項記載の収納ケースと、
前記ケース本体の外側に設けられ、接地されたグラウンド部材とを更に備え、
前記第２の腕部の端部は、前記グラウンド部材に当接することを特徴とする電子機器。
【請求項５】
収納物を収納するための収納部と、前記収納物を前記収納部に出し入れするための開口部とを備えたケース本体と、
所定の回動軸の周りに回動自在に取り付けられており、前記ケース本体に対してスライド自在に取り付けられた蓋と、
前記開口部の周辺部に形成された立ち壁と、
前記蓋が第１の位置にスライドされた場合に前記蓋を固定し、前記蓋が第２の位置にスライドされた場合に前記蓋の固定を解除する固定手段と、
コイル巻部と、前記コイル巻部の両端から延出した第１及び第２の腕部とを備え、前記蓋とともにスライド自在に取り付けられた捩じりばねであって、前記第１の腕部が前記蓋の内側の面に当接する一方、前記蓋が第２の位置にスライドされた場合に前記第２の腕部が前記立ち壁に当接し、前記蓋を開く方向に付勢する捩りばねと、
を備えることを特徴とする収納ケース。
【請求項６】
前記第２の腕部は、前記蓋のスライド量よりも長いことを特徴とする請求項５記載の収納ケース。
【発明の詳細な説明】
【技術分野】
【０００１】
本発明は収納ケース及び電子機器に係り、特に電子機器のバッテリ収納ケース等として用いる蓋を有する収納ケースに関する。
【背景技術】
【０００２】
特許文献１には、蓋をスライドさせることでロックが外れ、トーションバネの付勢力により蓋が開くようにした蓋取付機構が開示されている。
【０００３】
特許文献２には、蓋をスライドさせることでロックが外れ、ねじりコイルバネの付勢力により蓋が開くようにした蓋開閉構造において、蓋の取り付けにヒンジを用いたものが開示されている。
【特許文献１】実開平６−３０９９５号公報
【特許文献２】特開２００５−１７４９１９号公報
【発明の開示】
【発明が解決しようとする課題】
【０００４】
蓋をスライドさせると捩じりバネの付勢力によって自動的に開くように構成された蓋構造には、ヒンジを用いる方式（特許文献２）とヒンジを用いない方式（特許文献１）がある。
【０００５】
ヒンジを用いる方式では、蓋の回転軸の周りに捩じりバネが動作するためのスペースが不要であるため収納ケースの小型化が可能になるというメリットがある一方、ヒンジが必要となり部品点数が増えるためコストが高くなるというデメリットがある。
【０００６】
ヒンジを用いない方式では、ヒンジが不要であるためコストが安いというメリットがある一方、蓋の開閉時に捩じりバネが動作するためのスペースが必要になり、収納ケースが大型化するというデメリットがある。
【０００７】
本発明はこのような事情に鑑みてなされたもので、スライドさせて開閉する蓋を有する収納ケースにおいて、部品点数の削減によるコストダウンとケース自体の小型化とを同時に実現可能な収納ケース及び電子機器を提供することを目的とする。
【課題を解決するための手段】
【０００８】
上記課題を解決するために、本発明の第１の態様に係る収納ケースは、収納物を収納するための収納部と、前記収納物を前記収納部に出し入れするための開口部とを備えたケース本体と、所定の回動軸の周りに回動自在に取り付けられており、前記ケース本体に対してスライド自在に取り付けられた蓋と、コイル巻部と、前記コイル巻部の両端から延出した第１及び第２の腕部とを備え、前記蓋とともにスライド自在に取り付けられた捩じりばねであって、前記第１の腕部が前記蓋の内側の面に当接する一方、前記第２の腕部が前記開口部の外縁部に設けられた貫通孔を通って前記外縁部の裏面に当接し、前記蓋を開く方向に付勢する捩じりバネと、前記蓋が第１の位置にスライドされた場合に前記蓋を固定し、前記蓋が第２の位置にスライドされた場合に前記蓋の固定を解除する固定手段とを備えることを特徴とする。
【０００９】
上記第１の態様によれば、ケース本体とケース蓋との間に、第２の腕部がスライドするためのスペースを要しないので、第２の腕部が占めるスペースを最小限にすることができる。これにより、ケース本体とケース蓋との間の省スペース化を図ることができ、収納ケースの小型化を図ることができる。
【００１０】
本発明の第２の態様に係る収納ケースは、上記第１の態様において、前記貫通孔は、前記蓋がスライドするスライド方向に略平行に伸びる長穴形状であることを特徴とする。
【００１１】
本発明の第３の態様に係る収納ケースは、上記第２の態様において、前記第２の腕部の端部は、前記貫通孔の長手方向に対して略垂直に折り曲げられていることを特徴とする。
【００１２】
本発明の第４の態様に係る電子機器は、上記第１から第３の態様に係る収納ケースと、前記ケース本体の外側に設けられ、接地されたグラウンド部材とを更に備え、前記第２の腕部の端部は、前記グラウンド部材に当接することを特徴とする。
【００１３】
上記第４の態様によれば、電子機器が筐体の内部に通常備えている導電性のグラウンド部材（シールド部材）に、第２の腕部を当接させることにより静電対策を実施するようにしたので、新たな部品を追加することなく静電対策を実施することができる。これにより、収納ケースの更なる小型化を図ることができる。
【００１４】
本発明の第５の態様に係る収納ケースは、収納物を収納するための収納部と、前記収納物を前記収納部に出し入れするための開口部とを備えたケース本体と、所定の回動軸の周りに回動自在に取り付けられており、前記ケース本体に対してスライド自在に取り付けられた蓋と、前記開口部の周辺部に形成された立ち壁と、前記蓋が第１の位置にスライドされた場合に前記蓋を固定し、前記蓋が第２の位置にスライドされた場合に前記蓋の固定を解除する固定手段と、コイル巻部と、前記コイル巻部の両端から延出した第１及び第２の腕部とを備え、前記蓋とともにスライド自在に取り付けられた捩じりばねであって、前記第１の腕部が前記蓋の内側の面に当接する一方、前記蓋が第２の位置にスライドされた場合に前記第２の腕部が前記立ち壁に当接し、前記蓋を開く方向に付勢する捩りばねとを備えることを特徴とする。
【００１５】
上記第５の態様によれば、捩じりバネの第２の腕部を開口部周辺に形成した立ち壁に当接するように構成したので、ケース本体側に捩じりバネのスライドのためのスペースが不要になる。これにより、収納ケースの小型化を図ることができる。
【００１６】
本発明の第６の態様に係る収納ケースは、上記第５の態様において、前記第２の腕部は、前記蓋のスライド量よりも長いことを特徴とする。
【発明の効果】
【００１７】
本発明によれば、捩じりバネの腕部のスライドのためのスペースを最小限にすることができるので、収納ケースの小型化を図ることができる。
【発明を実施するための最良の形態】
【００１８】
以下、添付図面に従って本発明に係る収納ケース及び電子機器の好ましい実施の形態について説明する。
【００１９】
［第１の実施形態］
図１は、本発明の第１の実施形態に係る収納ケースを備えた撮像装置の外観を示す斜視図である。
【００２０】
撮像装置１０は、撮像した画像を電子的に保存する電子カメラである。図１に示すように、撮像装置１０の筐体の前面には撮像レンズを保持するレンズ鏡筒１２が設けられている。また、撮像装置１０の筐体の上面にはシャッタボタン１４及びストラップ取付部１６が設けられており、下面には三脚取付穴１８が設けられている。
【００２１】
撮像装置１０のグリップ部２０の内部には、バッテリ２２を収納するバッテリ収納ケース２４が形成されている。撮像装置１０の筐体の下面には、バッテリ収納ケース２４のケース蓋２８が配置されている。
【００２２】
図２は、バッテリ収納ケース２４の開閉動作を示す側面図であり、図３は、バッテリ収納ケース２４のケース蓋２８を開いた状態（開状態）を示す斜視図である。
【００２３】
バッテリ収納ケース２４は、ケース本体２６及びケース蓋２８を備えている。ケース本体２６には、バッテリ２２を収納するための収納部２６ｂが形成されている。
【００２４】
ケース蓋２８は、回動軸３０を介してケース本体２６に回動可能に取り付けられている。回動軸３０には、捩じりバネ３２が取り付けられている。ケース蓋２８は、捩じりバネ３２によって開く向き（図２（ａ）の矢印Ａ１０）に付勢されている。
【００２５】
ケース本体２６には、回動軸３０を取り付けるための軸受３０ａが形成されている。ケース本体２６の軸受３０ａは、長穴状に形成されており、ケース蓋２８は、図２（ｂ）の矢印Ａ１２の向きに回動軸３０とともにスライド操作可能になっている。
【００２６】
図３に示すように、収納部２６ｂの開口の周辺部（開口面）２６ａには、ロック爪３４が形成されており、ケース蓋２８の内側の面２８ａには、ロック爪３６が形成されている。また、ケース蓋２８の内側の面２８ａには、板バネ（クリックバネ）３８が取り付けられている。ケース本体２６の開口面２６ａには、クリック溝４０が形成されている。
【００２７】
図２（ａ）に示すように、ケース蓋２８を閉じてロックした状態（閉状態）では、ケース本体２６側のロック爪３４とケース蓋２８側のロック爪３６とが係合する。これにより、捩じりバネ３２の付勢力が相殺され、ケース蓋２８が閉状態に保たれる。また、閉状態では、クリックバネ３８はケース本体２６側のクリック溝４０に係合しており、ケース蓋２８がスライドしてロック爪３４と３６の係合がはずれるのを防止している。
【００２８】
図２（ｂ）に示すように、ケース蓋２８を矢印Ａ１２の向きにスライドさせると（スライド状態）、クリックバネ３８がクリック溝４０からはずれるとともに、ロック爪３４と３６の係合がはずれ、図２（ｃ）に示すように、ケース蓋２８が捩じりバネ３２によって矢印Ａ１４の向きに付勢されて自動的に開くようになっている（開状態）。
【００２９】
図４は、図３の一部を拡大して示す斜視図であり、図５は、図３のＡ方向矢視図である。
【００３０】
図４に示すように、捩じりバネ３２は、回動軸３０に貫通されている。捩じりバネ３２の第１の腕部３２−１は、ケース蓋２８の内側の面２８ａに沿って配置されており、ケース蓋２８の内側の面２８ａに形成された凸部４２に巻き付けられて固定されている。
【００３１】
図４及び図５に示すように、捩じりバネ３２の第２の腕部３２−２は、ケース本体２６の開口面２６ａに形成された貫通孔４４を通って、開口面２６ａの裏側に貫通している。貫通孔４４は、ケース蓋２８のスライド方向（図５の矢印Ａ１６）に沿う長穴状に形成されている。捩じりバネ３２の第２の腕部３２−２の端部は、貫通孔４４が伸びる方向（矢印Ａ１６）に対して略垂直に屈曲しており、ケース本体２６の裏面凹部４６に当接している。
【００３２】
図６（ａ）は、閉状態における捩じりバネ３２の状態を示す断面図であり、図６（ｂ）は、スライド状態における捩じりバネ３２の状態を示す断面図である。
【００３３】
ケース蓋２８の内側の面２８ａは、第１の腕部３２−１によって矢印Ａ１８の向きに付勢され、ケース本体２６の裏面凹部４６は、屈曲した第２の腕部３２−２によって矢印Ａ２０の向きに付勢される。
【００３４】
図６（ａ）及び図６（ｂ）に示すように、閉状態では、第２の腕部３２−２は、ケース本体２６の裏面凹部４６の縁４６ａに引っかかって、ケース本体２６と略平行になるように（即ち、第２の腕部３２−２がケース蓋２８及びそのスライド方向に対して略垂直になるように）、ケース本体２６の裏面凹部４６と回動軸３０及び軸受３０ａの位置が調整されている。
【００３５】
従来、ケース蓋をスライドさせると捩じりバネの付勢力によって自動的に開くように構成された蓋構造では、十分な付勢力を得るために捩じりバネの腕部を一定以上の長さにする必要があったため、ケース本体とケース蓋との間に捩じりバネの腕部を収納、スライドするためのスペースが必要になり、バッテリ収納ケースの小型化の妨げになっていた。
【００３６】
本実施形態のバッテリ収納ケース２４では、捩じりバネ３２の第２の腕部３２−２を開口面２６ａに形成された貫通孔４４からケース本体２６の裏面側に貫通させて、裏面凹部４６に当接させたので、ケース本体２６とケース蓋２８との間には、第２の腕部３２−２がスライドするためのスペースを要しない。更に、本実施形態では、第２の腕部３２−２をケース本体２６の裏面凹部４６に当接するように屈曲させるとともに、閉状態において第２の腕部３２−２がケース本体２６と略平行になるように構成したので、第２の腕部３２−２が占めるスペースを最小限にすることができる。これにより、ケース本体２６とケース蓋２８との間の省スペース化を図ることができ、バッテリ収納ケース２４の小型化を図ることができる。
【００３７】
［第２の実施形態］
次に、本発明の第２の実施形態に係るバッテリ収納ケースについて説明する。なお、以下の説明において、上記第１の実施形態と同様の構成については、同一の符号を付して説明を省略する。
【００３８】
図７は、本実施形態に係るバッテリ収納ケース２４の開状態を示す斜視図である。図８は、図７の一部を拡大して示す斜視図であり、図９は、図７のＡ方向矢視図である。また、図１０（ａ）は、閉状態における捩じりバネ３２の状態を示す断面図であり、図１０（ｂ）は、スライド状態における捩じりバネ３２の状態を示す断面図である。
【００３９】
本実施形態に係るバッテリ収納ケース２４は、収納部２６ｂの外側に、グラウンド部材５０を備えている。グラウンド部材５０は、導電性部材（例えば、板金）により形成されており、例えば、撮像装置１０の筐体内部に配置されたシールド部材（導電性部材）である。図８及び図９に示すように、グラウンド部材５０は、ケース本体２６の裏面側に配置され、貫通孔４４の上方に被さるように屈曲している。
【００４０】
本実施形態では、捩じりバネ３２は、導電性部材により形成されている。図１０（ａ）及び図１０（ｂ）に示すように、捩じりバネ３２の第２の腕部３２−２は、閉状態、及びケース蓋２８がスライドされた状態（スライド状態及び開状態）において、常にグラウンド板金５０に接触している。これにより、捩じりバネ３２とグラウンド部材５０との間で導通が取れている。
【００４１】
本実施形態によれば、上記第１の実施形態と同様に、捩じりバネ３２の第２の腕部３２−２が占めるスペースを最小限にすることができる。更に、本実施形態によれば、通常の電子機器が筐体の内部に備えている導電性のグラウンド板金に、第２の腕部３２−２を当接させることにより静電対策を実施するようにしたので、新たな部品を追加することなく静電対策を実施することができる。これにより、バッテリ収納ケース２４の更なる小型化を図ることができる。
【００４２】
［第３の実施形態］
次に、本発明の第３の実施形態について説明する。なお、以下の説明において、上記第１の実施形態と同様の構成については、同一の符号を付して説明を省略する。
【００４３】
図１１は、本実施形態に係るバッテリ収納ケース２４の開状態を示す斜視図である。図１２は、図１１の一部を拡大して示す斜視図であり、図１３は、図１１のＡ方向矢視図である。また、図１４（ａ）は、閉状態における捩じりバネ３２の状態を示す断面図であり、図１４（ｂ）は、スライド状態における捩じりバネ３２の状態を示す断面図である。
【００４４】
図１２に示すように、ケース本体２６の開口面２６ａの回動軸３０下方には、切欠き部５２が形成されている。図１４に示すように、切欠き部５２の図中右方には、立ち壁５２ａが形成されている。立ち壁５２ａは、ケース本体２６の収納部２６ｂに対して略平行（即ち、ケース蓋２８及びそのスライド方向に対して略垂直）に形成されている。
【００４５】
図１２に示すように、捩じりバネ３２の第２の腕部３２−２の端部は、ケース蓋２８のスライド方向（矢印Ａ３０）に対して略垂直に屈曲している。図１４（ａ）に示すように、閉状態では、第２の腕部３２−２は、立ち壁５２ａに沿って当接しており、矢印Ａ３４の向きに立ち壁５２ａを付勢している。
【００４６】
第２の腕部３２−２の長さＬは、ケース蓋２８のスライド量ｓよりも長くなっている（ｓ＜Ｌ）。また、ケース蓋２８が開いた場合、捩じりバネ３２の第１の腕部３２−１と第２の腕部３２−２とがなす角θは、例えば、１８０°以上になる。このため、図１４（ｂ）に示すように、ケース蓋２８がスライドされても、第２の腕部３２−２は、立ち壁５２ａに接した状態のままになる。
【００４７】
本実施形態によれば、回動軸３０の下方に立ち壁５２ａを形成して、捩じりバネ３２の第２の腕部３２−２をこの立ち壁５２ａに当接するように構成したので、ケース本体２６側に捩じりバネ３２のスライドのためのスペースが不要になる。これにより、バッテリ収納ケース２４の小型化を図ることができる。
【００４８】
なお、本発明に係る収納ケースは、上記撮像装置のバッテリ収納ケースのほか、任意の電子機器のバッテリ収納ケースや記録メディア（メモリカード）の収納ケースにも適用可能である。
【００４９】
また、上記の各実施形態では、回動軸３０に捩じりバネ３２を取り付けるようにしたが、例えば、ケース蓋２８に捩じりバネ３２を取り付けるための別の部材を設けてもよい。捩じりバネ３２を回動軸３０とは別の部材に取り付けるようにした場合には、回動軸３０をケース本体２６側に設けて、ケース蓋２８には回動軸３０取り付け用の貫通孔を形成してもよい。また、回動軸３０に代えて、ケース本体２６又はケース蓋２８のいずれか一方に凸部を設けて、他方に凸部と嵌め合わせるための開口を形成してもよい。
【図面の簡単な説明】
【００５０】
【図１】本発明の第１の実施形態に係る収納ケースを備えた撮像装置の外観を示す斜視図
【図２】バッテリ収納ケース２４の開閉動作を示す側面図
【図３】バッテリ収納ケース２４のケース蓋２８を開いた状態（開状態）を示す斜視図
【図４】図３の一部を拡大して示す斜視図
【図５】図３のＡ方向矢視図
【図６】図６（ａ）…閉状態における捩じりバネ３２の状態を示す断面図、  図６（ｂ）…スライド状態における捩じりバネ３２の状態を示す断面図
【図７】本発明の第２の実施形態に係るバッテリ収納ケース２４の開状態を示す斜視図
【図８】図７の一部を拡大して示す斜視図
【図９】図７のＡ方向矢視図
【図１０】図１０（ａ）…閉状態における捩じりバネ３２の状態を示す断面図、  図１０（ｂ）…スライド状態における捩じりバネ３２の状態を示す断面図
【図１１】本発明の第２の実施形態に係るバッテリ収納ケース２４の開状態を示す斜視図
【図１２】図１１の一部を拡大して示す斜視図
【図１３】図１１のＡ方向矢視図
【図１４】図１４（ａ）…閉状態における捩じりバネ３２の状態を示す断面図、  図１４（ｂ）…スライド状態における捩じりバネ３２の状態を示す断面図
【符号の説明】
【００５１】
１０…撮像装置、１２…レンズ鏡筒、１４…シャッタボタン、１６…ストラップ取付部、１８…三脚取付穴、２０…グリップ部、２２…バッテリ、２４…バッテリ収納ケース、２６…ケース本体、２８…ケース蓋、３０…回動軸、３２…捩じりバネ、３４、３６…ロック爪、３８…板バネ（クリックバネ）、４０…クリック溝、４２…凸部、４４…貫通孔、４６…裏面凹部、５０…グラウンド部材、５２…切欠き部、５２ａ…立ち壁
【図１】
2009110903.tif 000003
【図２】
2009110903.tif 000004
【図３】
2009110903.tif 000005
【図４】
2009110903.tif 000006
【図５】
2009110903.tif 000007
【図６】
2009110903.tif 000008
【図７】
2009110903.tif 000009
【図８】
2009110903.tif 000010
【図９】
2009110903.tif 000011
【図１０】
2009110903.tif 000012
【図１１】
2009110903.tif 000013
【図１２】
2009110903.tif 000014
【図１３】
2009110903.tif 000015
【図１４】
2009110903.tif 000016